(57)【要約】      （修正有）【課題】組み立てと分解が簡単で、構造部材の回収や再利用が可能な傘の構造を提供する。【解決手段】傘の構造は中棒、グリップ、下骨連接機構、上骨連接機構、複数の下骨、複数の上骨を含む。該中棒と該グリップは連接部品により連接し、該連接部品は頭部と筒部を備え、該筒部は少なくとも１個の弾性を備えるロック片を設置し、該グリップは少なくとも１個の該グリップの中心孔と相互に貫通するロック孔を備える。該中棒は該連接部品の頭部に挿入し、該連接部品の筒部を該グリップの中心孔に挿入し、該少なくとも１個のロック片を押し内縮させ、これにより該少なくとも１個のロック片は回復の弾力を蓄える。該少なくとも１個のロック片が該少なくとも１個のロック孔に対応すると、該少なくとも１個のロック片はすぐさま弾力復位し該少なくとも１個のロック孔内に係合する。【選択図】図５
0003144547.tif 000002
【実用新案登録請求の範囲】
【請求項１】
中棒、グリップ、下骨連接機構、上骨連接機構、複数の下骨、複数の上骨を含み、
該中棒底端には該グリップを結合し、該中棒頂端には該上骨連接機構を接合し、該複数の下骨と該複数の上骨内側端には該下骨連接機構と該下骨連接機構をそれぞれ連接し、該下骨連接機構は該中棒に嵌設し、該下骨外側端と該複数の上骨外側端は可動接続し、
該中棒と該グリップは連接部品により連接し、該連接部品は頭部と筒部を備え、該筒部は少なくとも１個の弾性を備えるロック片を設置し、該グリップは少なくとも１個の該グリップの中心孔と相互に貫通するロック孔を備え、該中棒は該連接部品の頭部に挿入し、該連接部品の筒部を該グリップの中心孔に挿入し、該少なくとも１個のロック片を押し内縮させ、これにより該少なくとも１個のロック片は回復の弾力を蓄え、該少なくとも１個のロック片が該少なくとも１個のロック孔に対応すると、該少なくとも１個のロック片はすぐさま弾力復位し該少なくとも１個のロック孔内に係合することを特徴とする傘の構造。
【請求項２】
前記筒部と該中心孔はそれぞれ少なくとも１個の導入溝と少なくとも１個の軌道を備え、該少なくとも１個の導入溝を利用し該少なくとも１個の軌道に対応させ入れ、該筒部が正確な位置で該中心孔内に入るように導入することを特徴とする請求項１記載の傘の構造。
【請求項３】
前記下骨連接機構は可動台と下骨リングフックを含み、該可動台には外ネジヤマと制御台を設置し、該複数の下骨は該下骨リングフックの複数の底部凹槽内に入り、該下骨リングフックには内ネジヤマを設置し、該可動台の外ネジヤマは該下骨リングフックの内ネジヤマに螺合し、これにより該制御台頂点面は該下骨リングフック底面に密着し支え、同時に該複数の底部凹槽下端開口を封鎖することを特徴とする請求項１記載の傘の構造。
【考案の詳細な説明】
【技術分野】
【０００１】
本考案は傘の構造に関する。特に該傘は組み立てと分解が簡単で時間と労力を節減でき、生産コストを低下させることができ、その構造部材は回収し再利用が可能で、環境保護の要求に符合しており、ひいては金銭を節約することもできる傘の構造に係る。
【背景技術】
【０００２】
大衆の環境保護意識の高まりに従い、ある種の消耗品に対しても回収、再利用が求められるようになっており、傘はその内の一つである。しかし、現在市場で見られる傘の構造は完璧ではなく、組み立てと分解が困難であるため、廃棄後の傘の構成部材のリサイクルは容易ではない。
【０００３】
公知の傘の組合せ平面概略図及び部分立体分解図である図１、図２に示すように、公知の傘の構造はおよそ中棒１０底端にグリップ２０を結合し、該中棒１０本体は下骨連接機構３０に可動嵌設する。該中棒１０頂端には上骨連接機構４０を連接し、該下骨連接機構３０は複数の下骨５０内側端に連接する。該上骨連接機構４０はまた複数の上骨６０内側端に連接し、複数の下骨５０外側端は複数の上骨６０外側端に可動接続する。しかも、該上骨連接機構４０上には傘帽７０を嵌合し、該複数の上骨６０頂点面は傘面(図示なし)を共同で連接し、陽光を遮り、或いは雨をはじく。該下骨連接機構３０は可動台３０１と金属線３０２を含み、複数の下骨５０内側端は、先ず可動台３０１の複数の直向凹槽３０３内に入る。該中棒１０は可動台３０１を貫通し可動接続し、次に金属線３０２は複数の下骨５０内側端を貫通接続する。該金属線３０２は同時に可動台３０１の環状凹槽３０４内に入り緊縛し、これにより複数の下骨５０と可動台３０１は可動接続状態を呈し、しかも、複数の下骨５０と可動台３０１を分離することはできない。該中棒１０と該グリップ２０が嵌接する接合位置は、接着剤を利用し、粘着固定するため、分解不能である。よって、複数の下骨５０、可動台３０１、グリップ２０の内の一つが損壊しても、単独で交換することはできず、新しい傘を購入しなければならない。これでは経済的な浪費である。また傘の廃棄後は分解し、該複数の下骨５０、該可動台３０１、該グリップ２０を取り出し再利用することもできないため、コスト低下は成らず、環境保護の要求にも応えることができない。しかも複数の下骨５０は、金属線３０２が可動台３０１を貫通し可動接続する結合動作を利用するが、すべて面倒で時間と労力の無駄であり、組み立て製造のコストを拡大している。
【考案の開示】
【考案が解決しようとする課題】
【０００４】
本考案の目的は、組み立てと分解が簡単で時間と労力を節減でき、生産コストを低下させることができ、その構造部材は回収し再利用が可能で、環境保護の要求に符合しており、ひいては金銭を節約することもできる傘の構造を提供することである。
【０００５】
上記課題を解決するため、本考案は下記の傘の構造を提供する。
傘の構造は中棒、グリップ、下骨連接機構、上骨連接機構、複数の下骨、複数の上骨を含み、
該中棒底端には該グリップを結合し、該中棒頂端には該上骨連接機構を接合し、
該複数の下骨と該複数の上骨内側端には該下骨連接機構と該下骨連接機構をそれぞれ連接し、該複数の下骨と複数の上骨外側端は相互に可動接続し、該複数の上骨頂面は共同で傘面を連接し、陽光を遮り、雨をはじき、
該中棒と該グリップは連接部品により連接し、該連接部品は頭部と筒部を備え、該筒部は少なくとも１個の弾性を備えるロック片を設置し、
該グリップは少なくとも１個の該グリップの中心孔と相互に貫通するロック孔を備え、該中棒は該連接部品の頭部に挿入し、該連接部品の筒部を該グリップの中心孔に挿入し、該少なくとも１個のロック片を押し内縮させ、これにより該少なくとも１個のロック片は回復の弾力を蓄え、該少なくとも１個のロック片が該少なくとも１個のロック孔に対応すると、該少なくとも１個のロック片はすぐさま弾力復位し該少なくとも１個のロック孔内に係合する。  
【０００６】
該少なくとも１個のロック片を押し内縮させることで、該連接部品は該中棒と共に該グリップから離脱し、該中棒或いは該グリップの損壊時には、交換を行うことができる。
【０００７】
該筒部と該中心孔はそれぞれ少なくとも１個の導入溝と少なくとも１個の軌道を備え、該少なくとも１個の導入溝を利用し該少なくとも１個の軌道に対応させ入れ、該筒部が正確な位置で該中心孔内に入るように導入する。
【０００８】
該下骨連接機構は該中棒に可動嵌設し、該下骨連接機構は可動台と下骨リングフックを含み、該可動台には外ネジヤマと制御台を設置し、該複数の下骨は該下骨リングフックの複数の底部凹槽内に入り、該下骨リングフックには内ネジヤマを設置し、該可動台の外ネジヤマは該下骨リングフックの内ネジヤマに螺合し、これにより該制御台頂点面は該下骨リングフック底面に密着し支え、同時に該複数の底部凹槽下端開口を封鎖し、該複数の下骨の離脱を防止する。
【課題を解決するための手段】
【０００９】
請求項１の考案は、中棒、グリップ、下骨連接機構、上骨連接機構、複数の下骨、複数の上骨を含み、
該中棒底端には該グリップを結合し、該中棒頂端には該上骨連接機構を接合し、該複数の下骨と該複数の上骨内側端には該下骨連接機構と該下骨連接機構をそれぞれ連接し、該下骨連接機構は該中棒に嵌設し、該下骨外側端と該複数の上骨外側端は可動接続し、
該中棒と該グリップは連接部品により連接し、該連接部品は頭部と筒部を備え、該筒部は少なくとも１個の弾性を備えるロック片を設置し、該グリップは少なくとも１個の該グリップの中心孔と相互に貫通するロック孔を備え、該中棒は該連接部品の頭部に挿入し、該連接部品の筒部を該グリップの中心孔に挿入し、該少なくとも１個のロック片を押し内縮させ、これにより該少なくとも１個のロック片は回復の弾力を蓄え、該少なくとも１個のロック片が該少なくとも１個のロック孔に対応すると、該少なくとも１個のロック片はすぐさま弾力復位し該少なくとも１個のロック孔内に係合することを特徴とする傘の構造としている。
請求項２の考案は、前記筒部と該中心孔はそれぞれ少なくとも１個の導入溝と少なくとも１個の軌道を備え、該少なくとも１個の導入溝を利用し該少なくとも１個の軌道に対応させ入れ、該筒部が正確な位置で該中心孔内に入るように導入することを特徴とする請求項１記載の傘の構造としている。
請求項３の考案は、前記下骨連接機構は可動台と下骨リングフックを含み、該可動台には外ネジヤマと制御台を設置し、該複数の下骨は該下骨リングフックの複数の底部凹槽内に入り、該下骨リングフックには内ネジヤマを設置し、該可動台の外ネジヤマは該下骨リングフックの内ネジヤマに螺合し、これにより該制御台頂点面は該下骨リングフック底面に密着し支え、同時に該複数の底部凹槽下端開口を封鎖することを特徴とする請求項１記載の傘の構造としている。
【考案の効果】
【００１０】
上記のように、本考案は組み立てと分解が簡単で時間と労力を節減でき、生産コストを低下させることができ、その構造部材は回収し再利用が可能で、環境保護の要求に符合しており、ひいては金銭を節約することもできる。
【考案を実施するための最良の形態】
【００１１】
本考案手動傘の組合せ平面概略図である図３、本考案自動傘の組合せ平面概略図である図４に示すように、本考案傘の構造は中棒１、グリップ２、下骨連接機構３、上骨連接機構４、複数の下骨５、複数の上骨６を含む。
【００１２】
該中棒１底端には該グリップ２を結合し、該中棒１は該下骨連接機構３を嵌接する。該中棒１頂端には該上骨連接機構４を接合し、該複数の下骨５内側端には該下骨連接機構３を連接する。該複数の上骨６内側端は該上骨連接機構４に連接し、該複数の下骨５外側端はさらに該複数の上骨６外側端に可動接続する。該複数の上骨６頂面は共同で傘面(図示なし)を連接し、陽光を遮り、雨をはじく。該上骨連接機構４はさらに上に傘帽７を接合する。
【００１３】
本考案中棒１とグリップ２の立体分解図及び中棒１とグリップ２の組合せ断面動作図である図５、６に示すように、該中棒１と該グリップ２は分解可能方式で結合する。該中棒１と該グリップ２の間は連接部品８により組み立てられる。該グリップ２は少なくとも１個のロック孔２２を備え、該少なくとも１個のロック孔２２とグリップ２の中心孔２１は貫通する。該中心孔２１内壁は少なくとも１個の軌道２１１を備え、該連接部品８は頭部８１と筒部８２を備える。該筒部８２外縁面には少なくとも１個の弾性を備えるロック片８３と少なくとも１個の導入溝を設置する。該中棒１は該連接部品８の頭部８１に挿入し、固定部品９により穿設固定接続される。続いて、該連接部品８の筒部８２を該グリップ２の中心孔２１に挿入し、該少なくとも１個のロック片８３を押し内縮させる。これにより該少なくとも１個のロック片８３は回復の弾力を蓄え、同時に該少なくとも１個の導入溝８４を利用し該少なくとも１個の軌道２１１に対応させ入れ、該筒部８２が正確な位置で該中心孔２１内に入るように導入する。該少なくとも１個のロック片８３が該少なくとも１個のロック孔２２に対応すると、該少なくとも１個のロック片８３はすぐさま弾力復位し該少なくとも１個のロック孔２２内に係合する。並びに、該頭部８１は該グリップ２頂端面に接触し、該中棒１と該グリップ２を可動方式で連接する。該少なくとも１個のロック片８３を押し内縮させることで、同時に該中棒１を上方へと引き抜き、該筒部８２を該中心孔２１から抜き離脱させ、該連接部品８は該中棒１と共に該グリップ２から離脱する。並びに該固定部品９を取り出すことで、該連接部品８と該中棒１を分離し、該中棒１或いは該グリップ２の損壊時には、交換を行うことができる。
【００１４】
本考案傘の部分立体分解図及び部分組合せ断面図である図７、図８に示すように、該下骨連接機構３は可動台３１と下骨リングフック３２を含む。該可動台３１には外ネジヤマ３１１と制御台３１２を設置し、該下骨リングフック３２には内ネジヤマ３２１と複数の底部凹槽３２２を設置する。該複数の下骨５内側端は先ず該複数の底部凹槽３２２内にそれぞれ入り、該可動台３１の外ネジヤマ３１１は上方へと該下骨リングフック３２の内ネジヤマ３２１に螺合する。これにより該制御台３１２頂点面は該下骨リングフック３２底面に密着し支え、同時に該複数の底部凹槽３２２下端開口を封鎖し、該複数の下骨５の離脱を防止する。該中棒１はさらに上方へと該可動台３１に嵌設し、こうして簡易で迅速な組み立て及び分解を達成することができる。
【００１５】
本考案は上記組成により、公知構造と比較し、以下の進歩性を確実に備える。
１．該中棒１と該グリップ２の間は連接部品８により連接し、傘を廃棄する時には、該連接部品８の少なくとも１個のロック片８３を圧迫内縮させ、該連接部品８を該中棒１と共に該グリップ２から離脱させる。これにより該中棒１と該グリップ２をリサイクルし再使用することができ、生産コストを低下させ、環境保護の要求を満たすことができる。
２．該下骨リングフック３２はネジヤマ連接方式により、該可動台３１と可動接合し、しかも該中棒１と該グリップ２は分解可能方式で可動接合する。よって、該中棒１、該グリップ２、該複数の下骨５、該下骨リングフック３２、該可動台３１の内のどの部品が損壊しても、単独で交換することができ、新しい傘を購入する必要がないため、金銭を節約することができる。
３．該複数の下骨５内側端は該複数の底部凹槽３２２に直接入り、該下骨リングフック３２と該可動台３１は螺合連接する。さらに、該グリップ２と該中棒１は可動接合であるため、傘全体の組合せと分解過程は簡易で、スピーディーで、省力を図ることができる。
【００１６】
本考案に類似の構造は未公開であり、本考案は上記の特徴を有するため、産業上の利用価値、新規性、進歩性という実用新案登録請求の要件に符合している。上記説明と図は本考案の最適実施例に過ぎない。本考案最適実施例に使用することができる各種の変動、潤色、置換はすべて本考案の実用新案請求の範囲に含む。
【図面の簡単な説明】
【００１７】
【図１】公知の傘の組合せ平面概略図である。
【図２】公知の傘の部分立体分解図である。
【図３】本考案手動傘の組合せ平面概略図である。
【図４】本考案自動傘の組合せ平面概略図である。
【図５】本考案中棒とグリップの立体分解図である。
【図６】図５の組合せ断面動作図である。
【図７】本考案傘の部分立体分解図である。
【図８】図７の組合せ断面図である。
【符号の説明】
【００１８】
１０  中棒
２０  グリップ
３０  下骨連接機構
３０１  可動台
３０２  金属線
３０３  直向凹槽
３０４  環状凹槽
４０  上骨連接機構
５０  下骨
６０  上骨
７０  傘帽
１  中棒
２  グリップ
２１  中心孔
２１１  軌道
２２  ロック孔
３  下骨連接機構
３１  可動台
３１１  外ネジヤマ
３１２  制御台
３２  下骨リングフック
３２１  内ネジヤマ
３２２  底部凹槽
４  上骨連接機構
５  下骨
６  上骨
７  傘帽
８  連接部品
８１  頭部
８２  筒部
８３  ロック片
８４  導入溝
９  固定部品
【図１】
0003144547.tif 000003
【図２】
0003144547.tif 000004
【図３】
0003144547.tif 000005
【図４】
0003144547.tif 000006
【図５】
0003144547.tif 000007
【図６】
0003144547.tif 000008
【図７】
0003144547.tif 000009
【図８】
0003144547.tif 000010